(57)【要約】      （修正有）【課題】長手方向の構造的剛性によって、吸収性コアの前側及び／又は後側区域が、着用者の身体の前側及び／又は後側から外向きに膨張する傾向が生じ、その結果、見苦しい外観が作り出され、かつ快適性に悪影響を与え得る嵩高な突出部がもたらされるおそれを改善する吸収性パンツを提供する。【解決手段】前側及び後側ベルト部分２２、２３を用いて着用者の腰部を包囲するベルト構造体２０と、長手方向にチャネル形成された吸収性コア構造体３０と、を有する使い捨て吸収性パンツ１０である。チャネルは、前側及び後側ベルト部分のうちの少なくとも１つの下にあって、それにより、着用中、チャネル形成された構造体の結果として、コアが液体を吸収して、長手方向に剛化した後で、吸収性コアを拘束するための更なる構造的支持を提供し、かつパンツの前側及び／又は後側で望ましくない膨張の可能性を低減するように、伸張される。【選択図】図１
2019150655.tif 000002
【特許請求の範囲】
【請求項１】
長手方向軸（ｙ）、横方向軸（ｘ）、前側区域、後側区域、及び前記前側区域と前記後側区域との間に股部区域を有する、使い捨て吸収性パンツであって、
その内部に形成された少なくとも１つの長手方向に配向された細長いチャネル（１２６）を備える吸収性層（１１７）を備える吸収性構造体（１１５）であって、前記チャネルは対応する前方及び後方遠位端を有する、吸収性構造体（１１５）、並びに
前記前側区域及び前記後側区域のうちの一方又は両方における弾性ベルト構造体（２２、２３）であって、前記ベルト構造体は、内部層（２５ａ）と、外部層（２５ｂ）と、前記内部層と前記外部層との間に配置された弾性部材（２６）と、腰部縁部（３４、３５）と、前記内部層及び前記外部層のうちの一方又は両方によって形成される下縁部（２１）と、を有しており、前記下縁部は前記腰部縁部と前記横方向軸との間に配置される、弾性ベルト構造体（２２、２３）を備え、
前記少なくとも１つのチャネルの前記前方遠位端及び後方遠位端のうちの少なくとも１つが、前記ベルト構造体の前記下縁部の上に配置される、パンツ。
【請求項２】
前記弾性部材は、前記内部層と外部層との間に配置された、複数の長手方向に離間配置され、横方向に配向された弾性ストランド（２６）のうちの１つであり、前記少なくとも１つのチャネルの前記前方遠位端及び後方遠位端のうちの前記少なくとも１つは、前記複数の弾性ストランドの最低部の上に配置される、請求項１に記載のパンツ。
【請求項３】
前記少なくとも１つのチャネルは、前記股部区域から、前記前側区域及び後側区域のうちの少なくとも１つに延在する、請求項１又は２に記載のパンツ。
【請求項４】
前記少なくとも１つのチャネルは、前記前側区域から、前記股部区域を通って、前記後側区域に延在する、請求項３に記載のパンツ。
【請求項５】
前記ベルト構造体は、前記吸収性構造体の左長手方向縁部の左に配置された左帯、前記吸収性構造体の右長手方向縁部の右に配置された右帯、及び前記左帯と前記右帯との間に配置された中央帯（２２’、２３’）、を備えており、
前記チャネルの前記前方及び後方遠位端のうちの前記少なくとも１つは、その着用者に面する側に向いて、前記中央帯の下にある、請求項１〜４のいずれか一項に記載のパンツ。
【請求項６】
前記中央帯は、前記左帯及び右帯よりも、小さな横方向の弾性伸長及び収縮を示す、請求項５に記載のパンツ。
【請求項７】
前記吸収性層は、その内部に形成された少なくとも２つの長手方向に配向された細長いチャネル（１２６）を有し、各前記チャネルは対応する前方遠位端及び後方遠位端を有し、各チャネルの前記前方遠位端及び後方遠位端のうち少なくとも１つは前記中央帯の下にある、請求項５に記載のパンツ。
【請求項８】
前記少なくとも２つのチャネル（１２６）は湾曲状又は弧状である、請求項７に記載のパンツ。
【請求項９】
前記弾性ベルト構造体が対向するベルト構造体に固着されている左サイドシーム及び右サイドシーム（２４）を有し、前記左サイドシーム及び右サイドシームはそれぞれ腰部端部及び脚部開口部端部を有し、前記少なくとも１つのチャネルの前記前方遠位端及び後方遠位端のうちの前記少なくとも１つは、各シームの前記脚部開口部端部の上に長手方向に配置される、請求項１〜８のいずれか一項に記載のパンツ。
【請求項１０】
前記左サイドシーム及び右サイドシームのうちの少なくとも１つは再締結可能である、請求項９に記載のパンツ。
【請求項１１】
それぞれが内部層（２５ａ）と、外部層（２５ｂ）と、前記内部層と前記外部層との間に配置された弾性部材（２６）と、
腰部縁部（３４、３５）と、
前記内部層及び前記外部層のうちの一方又は両方によって形成される下縁部（２１）と、
を有する前側弾性ベルト構造体及び後側弾性ベルト構造体（２２、２３）を有しており、
前記下縁部は前記腰部縁部と前記横方向軸との間に配置されており、
前記少なくとも１つのチャネルの前記前方遠位端及び後方遠位端がそれぞれ、前記前側ベルト構造体及び後側ベルト構造体のうちの１つの前記下縁部の上に配置される、請求項１〜１０のいずれか一項に記載のパンツ。
【発明の詳細な説明】
【背景技術】
【０００１】
市場の占有率を維持する又は成長させるために、使い捨ておむつ及び吸収性パンツなどの使い捨て吸収性物品の製造業者は、収容性、吸収性、快適さ、フィット感、及び外観などの態様に影響を及ぼす、材料、構成要素、及び形態に改善を発見し、開発し続けなければならない。吸収性パンツは、例えば、低年齢小児用のプルオンおむつ及びトイレトレーニングパンツとして用いる場合はより小さなサイズで、また、例えば、尿失禁を患う成人又は高年齢小児などの個人用下着として用いる場合はより大きなサイズで製造される。一部の用途では、消費者及び／又は着用者は、着用時に物品が普通の下着と似た外観及び感触を有することを好む場合がある。
【０００２】
現在販売されている吸収性パンツのデザインの特定のタイプは、「バルーン」パンツと呼ばれることがある。バルーンパンツのデザインは、通常、吸収性コアを含む中央吸収性シャーシ、及び弾性ベルトを含む。弾性ベルトは、通常、比較的幅が広く（長手方向に）及び横方向に弾性的に伸縮性がある。それは完全に着用者の腰部を取り囲み、それによって、着用者の皮膚の比較的広い領域を覆い、更にパンツの目視できる外側表面の比較的大きな部分を占める。ベルトは多くの場合、エラストマー材料の横方向に配向された複数のストランド若しくはストリップ、又はエラストマーフィルム、エラストマースクリム、若しくはエラストマー不織布の切片などの、１つ又は２つ以上の弾性部材を挟む２つの層の不織布ウェブにより形成される。こうした設計では、製造時に、弾性部材が歪み状態で不織布ウェブの層の間に挟まれているのが一般的である。
【０００３】
中央シャーシ部分の一部である吸収性コア構造体は、滲出物の収容及び吸収、のみならず、着用時の物品の快適性、フィット感、及び外観においても重要な役割を果たす。近年、吸収性コアの設計は、比較的高い吸収性ポリマー粒子の重量比、及び低い吸収性繊維（例えば、セルロース繊維）の比を有して、従来の吸収性コア設計よりも薄い構造をもたらし、かつ乾燥時に嵩高がより低く、より密接にフィットする（例えば、より下着様に）製品の製造を可能にする構造へと進歩している。しかしながら、後者の構造は、液体捕捉速度が遅くなる場合があり、また、これらの吸収性ポリマー粒子の比率がより大きいために、湿潤時に垂れ下がり、嵩高となり、かつゼラチン状になる場合がある。これらの問題に対処するために、長手方向に配向されたチャネルを含む吸収性構造体が開発されてきた。適切に配置かつ構造を付与された長手方向チャネルは、吸収性コアの長さに沿った吸収性ポリマー粒子の堆積物に沿う液体の分配に役立ち、それにより捕捉速度の改善に役立ち得る。これらは更に、物品の股部区域全体に、チャネル間の湿潤吸収性ポリマー粒子堆積物内の圧力から生じる長手方向の構造的剛性を提供することによって、物品が湿潤時に垂れ下がって嵩高な外観となる可能性を低減させるのにも役立ち得る。
【０００４】
しかしながら、この構造的剛性は、外観、フィット感、及び／又は快適性に対し望ましくない効果を有する場合があることが判明している。具体的には、長手方向の構造的剛性によって、吸収性コアの前側及び／又は後側区域が、着用者の身体の前側及び／又は後側から外向きに膨張する傾向が生じ、その結果、見苦しい外観が作り出され、かつ快適性に悪影響を与え得る嵩高な突出部がもたらされるおそれがある。
【発明の概要】
【課題を解決するための手段】
【０００５】
かくして、パンツの乾燥時、及びパンツの湿潤後の両方において、様々な進歩の利点を具現化さながらもこれらの機構の悪影響を緩和させる、吸収性パンツの設計における改善の余地が引き続き存在する。
【図面の簡単な説明】
【０００６】
図面では、同じ機構は実施例の様々な図及び描写の全体を通して一貫した番号が付けられている。
【図１】バルーンパンツの例の正面透視図である。
【図２Ａ】着用者に面する表面を閲覧者に面した、サイドシームの位置で前側及び後側ベルト部分を接合する前の、バルーンパンツ前駆構造体の概略平面図である。
【図２Ｂ】着用者に面する表面を閲覧者に面した、サイドシームの位置で前側及び後側ベルト部分を接合する前の、バルーンパンツ前駆構造体の概略平面図である。
【図２Ｃ】着用者に面する表面を閲覧者に面した、サイドシームの位置で前側及び後側ベルト部分を接合する前の、バルーンパンツ前駆構造体の概略平面図である。
【図３】ベルト部分の構成要素の概略分解透視図である。
【図４】ベルト部分の領域の概略拡大平面図である。
【図５】図４に示したベルト部分の領域の概略横断面図である。
【図６Ａ】パンツの概略側面図である。
【図６Ｂ】パンツの概略側面図である。
【図７】吸収された液体で充填された一構成で示される、パンツの概略側面図である。
【図８】非限定的な一実施例による、２つの長手方向主チャネルを備える吸収性層を含む吸収性構造体の概略斜視図である。
【図９】非限定的な一実施例による、４つの長手方向主チャネルを備える吸収性層の概略斜視図である。
【図１０Ａ】非限定的な一実施例による、４つの長手方向主チャネルを備える吸収性層を含む吸収性構造体の概略上面／平面図である。
【図１０Ｂ】屈曲位で示される、図１０Ａの吸収性構造体の概略斜視図である。
【図１１Ａ】様々な非限定的実施例による、チャネル構成の概略平面図である。
【図１１Ｂ】様々な非限定的実施例による、チャネル構成の概略平面図である。
【図１１Ｃ】様々な非限定的実施例による、チャネル構成の概略平面図である。
【図１１Ｄ】様々な非限定的実施例による、チャネル構成の概略平面図である。
【図１１Ｅ】様々な非限定的実施例による、チャネル構成の概略平面図である。
【図１２】非限定的な一実施例による、股部区域に２つの長手方向主チャネル、及び前側区域に２つの二次チャネルを含む吸収性層の概略斜視図である。
【図１３】非限定的な一実施例による、股部区域に２つの長手方向主チャネル、前側区域に２つの二次チャネル、及び後側区域に２つの二次チャネルを含む吸収性層の概略斜視図である。
【図１４】非限定的な一実施例による、股部区域に２つの長手方向主チャネル、及び前側及び後側に２つの二次チャネルを含む吸収性層を備える吸収性構造体の概略上面／平面図である。
【図１５Ａ】非限定的な一実施例による、長手方向チャネルを備える吸収性構造体の概略横断面図である。
【図１５Ｂ】非限定的な一実施例による、吸収性構造体の概略横断面図である。
【図１６Ａ】着用者に面する表面を閲覧者に面し、長手方向主チャネルの一構成を備えて示す、サイドシームの位置で前側及び後側ベルト部分を接合する前のバルーンパンツ前駆構造体の非限定的実施例の概略平面図である。
【図１６Ｂ】着用者に面する表面を閲覧者に面し、長手方向主チャネルの一構成を備えて示される、サイドシームの位置で前側及び後側ベルト部分を接合する前の別のバルーンパンツ前駆構造体の概略平面図である。
【図１６Ｃ】着用者に面する表面を閲覧者に面し、長手方向主チャネルの別の構成を備えて示される、サイドシームの位置で前側及び後側ベルト部分を接合する前の別のバルーンパンツ前駆構造体の概略平面図である。
【図１６Ｄ】図１６Ａで示した構造体の一部分の概略的な長手方向分解断面図である。
【図１７】着用者に面する表面を閲覧者に面し、長手方向主チャネル及び二次チャネルの別の構成を備えて示される、サイドシームの位置で前側及び後側ベルト部分を接合する前の別のバルーンパンツ前駆構造体の概略平面図である。
【図１８】着用者に面する表面を閲覧者に面し、長手方向主チャネル及び二次チャネルの別の構成を備えて示される、サイドシームの位置で前側及び後側ベルト部分を接合する前の別のバルーンパンツ前駆構造体の概略平面図である。
【図１９】着用者に面する表面を閲覧者に面し、長手方向主チャネル及び二次チャネルの別の構成を備えて示される、サイドシームの位置で前側及び後側ベルト部分を接合する前の別のバルーンパンツ前駆構造体の概略平面図である。
【図２０】衣類に面する表面を閲覧者に面し、長手方向主チャネル並びに前側及び後側ベルト部分の非弾性帯の構成を備えて示される、サイドシームの位置で前側及び後側ベルト部分を接合する前のバルーンパンツ前駆構造体の概略平面図である。
【発明を実施するための形態】
【０００７】
本明細書で使用する時、「吸収性コア」は、吸収性物品のトップシートとバックシートとの間に配置される、吸収性物品の構成要素を指す。吸収性物品の吸収性コアは、１つ又は２つ以上の吸収性構造体と、任意で、例えばカバー層などの更なる層と、を含み得る。
【０００８】
本明細書で使用する時、「吸収性ポリマー粒子」とは、遠心分離保持能試験（ＥＤＡＮＡ４４１．２−０１）を用いて測定した場合に、それらの重量の少なくとも１０倍の、脱イオン水中０．９％食塩溶液を吸収することができる、実質的に非水溶性のポリマー粒子を指す。
【０００９】
本明細書で使用する時、「吸収性構造体」とは、尿などの液体を吸収及び収容するために有用な三次元構造体を指す。本明細書で更に説明されるように、吸収性構造体は、吸収性物品の吸収性コアであってもよく、あるいは吸収性物品の吸収性コアの一部分、即ち吸収性コアの吸収性構成要素であってもよい。
【００１０】
本明細書で使用する時、用語「坪量」は、例えば、１平方メートル当たりのグラム数（ｇｓｍ）で表される、平坦な表面に敷かれた時に材料が占有する、単位表面積あたりの材料の質量、例えば、支持基材の単位表面積あたりの吸収性ポリマー粒子の質量を指す。
【００１１】
図２Ａ〜２Ｃを参照すると、パンツの「股部区域」とは、横方向軸（本明細書では「軸Ｘ」と称する）がそれを貫いて通過し、また、横方向軸の前方及び後方でパンツの全長の１／６を長手方向に延在する部分である。したがって、前側区域はパンツの全長の前側の１／３を含み、股部区域はパンツの長さの中央の１／３を含み、後側区域はパンツの全長の後側の１／３を含む。
【００１２】
本明細書で使用する時、「おむつ」とは、身体から排出される様々な排泄物を吸収及び収容するために着用者の皮膚に対して着装されることを意図する装置を指す。おむつは、一般に、着用者の腰及び脚を取り囲むように、乳幼児及び尿失禁者により胴体下部の周囲に着装される。おむつの例としては、乳児又は成人用おむつ、並びにトレーニングパンツ及び成人用失禁パンツなどの使い捨て吸収性パンツが挙げられる。
【００１３】
本明細書では、「使い捨て」とは、一般に洗濯又はその他の方法で洗浄、復旧、又は再利用されるように構成されていない物品を説明するのに用いられる（即ち、これらは１回使用してから廃棄するのに十分なだけの耐久性を持つようにのみ構成されており、また、再利用、堆肥化、又はその他の方法で処分してもよい）。
【００１４】
本発明の説明全体を通して、付勢力が材料に加えられると、その材料又は複合材に実質的に損害を与える破裂又は破損を起こすことなく、その材料又は複合材がその元の弛緩時長さの少なくとも１５０％の伸長長さまで伸張することができ（即ち少なくとも５０％伸張可能）、かつ、その力が材料又は複合材から取り除かれると、その材料又は複合材がかかる伸長の少なくとも４０％を回復する場合、材料又は材料の複合体は、「弾性」又は「エラストマー性」であるとみなされる。様々な例において、弾性的伸展性材料から力が取り除かれると、材料又は複合体は、その伸長の少なくとも６０％、又は少なくとも８０％を回復し得る。
【００１５】
弾性ストランドに付与されるその長手方向軸方向の歪の量を定量化して表すために本明細書で用いられる「伸長」は、［（ストランドの歪みを加えられた長さ−歪みを加える前のストランドの長さ）／（歪みを加える前のストランドの長さ）］×１００％を意味する。用語「予歪み」は、ベルト構造体又はパンツの製造中に弾性ストランドに付与された伸長を指して用いられ、同様に表す伸長を指す。
【００１６】
「フィルム」は、１種以上のポリマーで構成される巨視的に連続性の皮膚様又は膜様層の材料を意味する。「フィルム」は、「不織布ウェブ」又は「不織布」とは区別され、後者は、固結されているが大部分は個々に独立した繊維のウェブ状構造からなる形状を有する。
【００１７】
本明細書で使用する時、「ホットメルト接着剤」は、Ａｌｐｈｏｎｓｕｓ  Ｖ．Ｐｏｃｉｕｓによる「Ａｄｈｅｓｉｏｎ  ａｎｄ  Ａｄｈｅｓｉｖｅｓ  Ｔｅｃｈｎｏｌｏｇｙ：Ａｎ  Ｉｎｔｒｏｄｕｃｔｉｏｎ」（Ｈａｎｓｅｒ  ｐｕｂｌｉｓｈｅｒｓ  Ｍｕｎｉｃｈ，１９９７）に記載されている説明と一致する接着剤を指す。そこでは、ホットメルトは、溶解物から適用され、凝固で強度を得る接着剤として定義されている。
【００１８】
パンツ及びその着用者に対する「横方向」とは、着用者の身長に対してほぼ垂直の方向、即ち着用者が起立している時の水平方向を指す。「横方向」及び「横断方向」（及びこれらの形態）は、更に、長手方向に対して垂直の方向も指す。それが示されている本明細書の特定の図に関して、ｘ軸は横方向及び／又は横断方向に沿って位置している。
【００１９】
パンツ及びその着用者に対する「長手方向」とは、着用者の身長に対してほぼ平行の方向、即ち着用者が起立している時の垂直方向を指す。「長手方向」は、パンツ構造体を側部／股関節部のシームで分離し、折りたたまれたものを展開し、伸展させ、平たく広げる時、脚部開口部間の前側腰部縁部の中間点からパンツの後側腰部縁部の中間点まで伸展する線とほぼ平行の方向でもある。それが示されている本明細書の特定の図に関して、ｙ軸は長手方向に沿って位置している。
【００２０】
機構を説明するために用いられる「長手方向に配向される」とは、機構の最大寸法が、その横方向のベクトル成分よりも大きい長手方向のベクトル成分を有することを意味する。反対に「横方向に配向される」とは、機構の最大寸法が、その長手方向のベクトル成分よりも大きい横方向のベクトル成分を有することを意味する。
【００２１】
パンツに関して、「下方」、「最下」、「上方」、「下部」、「底部」などの相対的な位置を表す用語及びこれらの形態は、起立している着用者によって着用される時に、垂直方向に沿ったパンツ構造体の垂直方向の最下部範囲（股部区域の）及び最上部範囲（腰部縁部の）に対して表現される。パンツの前駆構造体に関して、最下部分は横方向軸（図に示す軸ｘ）に位置し、最上部分は腰部縁部に位置する。
【００２２】
「不織布」は、最初に可動面（コンベヤーベルトなど）の上に付着かつ蓄積され、次いで摩擦、凝集、粘着、あるいは局所圧縮及び／又は圧力、熱、超音波若しくは熱エネルギー若しくはこれらの組み合わせの印加によって作られる１つ以上の接着パターン及び接着インプレッションによって共に固結かつ接着される、一方向に又はランダムに配向した繊維の製造シート又はウェブである。この用語は、糸若しくはフィラメントで織られるか、編まれるか、又は縫い合わされた布地を含まない。繊維は、天然及び／若しくは人造のものであってもよく、ステープル及び／若しくは連続フィラメントでもよく、又はその場で形成されたものでもよい。市販の繊維は、約０．００１ｍｍ未満〜約０．２ｍｍを上回る範囲の直径を有しており、いくつかの異なる形態、即ち、短繊維（ステープル又は細断繊維として知られる）、連続単繊維（フィラメント又はモノフィラメント）、撚り合わせていない連続フィラメントの束（タウ糸）、及び連続フィラメントの撚り束（編み糸）として提供されている。当該技術分野で既知の通り、不織布は、短繊維を用いたメルトブロー、スパンボンド、スパンメルト、溶剤紡糸、電界紡糸、カーディング、フィルムフィブリル化、メルトフィルムフィブリル化、エアレイイング、ドライレイイング、ウェットレイイング、及びこれらのプロセスの組み合わせを含む多くのプロセスによって形成することができるが、これらに限定されない。不織布の坪量は、通常、１平方メートル当たりのグラム数（ｇｓｍ）で表す。
【００２３】
本明細書で使用する時、「パンツ」とは、腰部開口部と、脚部開口部と、少なくとも股部区域の吸収性構造体と、を有しており、乳児、小児、又は成人の着用者による着用に適した使い捨て吸収性衣類を指す。パンツは、着用者の足部を腰部開口部内に挿入してから脚部開口部内に挿入して、続いてパンツを着用者の脚部を通して着用者の胴体下部周囲の位置まで引き上げることによって、着用者上の適切な位置に配置することができる。パンツは、任意の好適な技術によって予備形成されてもよく、その例としては、再締結可能及び／又は再締結不可能な結合（例えば、シーム、溶接、接着剤、凝集結合、締結具など）を使用して、物品の一部を一体に接合することが挙げられるが、これらに限定されない。パンツは、物品の外周に沿った任意の位置で予備形成することができる（例えば、側面締着、前側腰部締着）。
【００２４】
以下の説明では、着用時に着用者に面する着用型吸収性物品、又はその構成要素の表面を「着用者に面する表面」と称する。反対に、着用者の反対側を向く表面は、「衣類に面する表面」と称する。したがって、着用型吸収性物品、及びそのシート又はウェブ構成要素のすべてが、着用者に面する表面及び衣類に面する表面を有する。
【００２５】
ウェブに関して「ｚ方向」とは、機械方向及び横断方向寸法に沿ってウェブにより近似される平面に対して、一般に直交又は垂直であることを意味する。
【００２６】
本発明の構造体の例は、バルーン型吸収性パンツのベルトを形成するために用いられるものとして本明細書で説明されているが、本例は、吸収性パンツ、おむつ、及び他の着用型物品（その使い捨て形態を含む）、並びに他の製品の他の構成要素を形成するために用いてもよいことが理解されるであろう。
【００２７】
図１は、バルーンタイプの吸収性パンツ１０の一例を図示する。図２Ａ〜２Ｃは、平らに広げられて、弾性によって生じる収縮に対して横方向に延伸し、着用者に面する表面を閲覧者に面した、前側ベルト部分２２と後側ベルト部分２３とがシーム２４の位置で接合される最終アセンブリ前の開放構造にあるパンツの前駆構造体の例を示す。パンツ１０を形成するために、前駆構造体を横方向軸ｘ（前駆構造体の長手方向の中間点に位置する）又はその周辺でトップシート３３を内側に向けて折りたたんでもよく、前側２２及び後側２３ベルト部分の長手方向縁部がシーム２４の位置で接合され、脚部開口部１５、前側腰部縁部３４、及び後側腰部縁部３５を有するパンツ構造体を形成することができる。
【００２８】
パンツ構造体は、ベルト２０及び中央シャーシ３０を含んでよい。中央シャーシ３０は、液体不透過性ウェブ材料の少なくとも一部内に形成される液体不透過性バックシート３１、液体透過性トップシート３３、吸収性コア構造体（後述）、及び伸縮性バリアーカフ３２が挙げられるが、これらに限定されない、使い捨ておむつ及び吸収性パンツの吸収性構造体内で見出される構成要素の任意の組み合わせを含んでもよい。中央シャーシの構成要素及び構成の例及び説明は、米国特許出願公開第２０１３／０２１１３５５号、及び本明細書で引用されるその他の参考文献において、本明細書と矛盾しない範囲で見出すことができ、これらで説明されるシャーシは、中央シャーシ３０に含まれ得る構成要素及び機構を含む。図１に示す例において、ベルトの前側部分２０は、下縁部２１で、パンツの股部区域１２のショートを止める。中央シャーシ３０は、前側及び後側ベルト部分２２、２３の上に、これらの内面（着用者に面する側）に対して覆い被さってよい。中央シャーシ３０の外周４１は、液体不透過性ウェブ材料の外周によって画定されてよい。
【００２９】
図２Ａ及び２Ｂで示す例では、前側及び後側ベルト部分２２、２３は、パンツの前側及び後側区域を形成する最外部の構造体であり得る。図２Ｃに示す（図１６Ｂにも示す）例では、パンツは、前側、股部、及び後側区域を完全に包み込んで、最外部のパンツ状に成形／外形決めされた構造体を形成する、外側ラップ１９を含み得る。前側及び後側ベルト部分２２、２３を形成するための追加的な層及び弾性部材を外側ラップ１９の内側に配置して、接着剤積層、ボンディング、又は任意の他の好適な機構によってそれに適切に固着させてもよい。外側ラップ１９は、不織布ウェブの１つ又は２つ以上の切片から形成されてもよく、図２Ｃに示されるように、必要に応じて、適切に調整された脚部開口部縁部の外形を提供する外形に切断してもよい。
【００３０】
図３〜５を参照して、前側及び後側ベルト部分２２、２３のうちの片方は又は両方とも、内部層及び外部層をそれぞれ形成する不織布ウェブ層２５ａ、２５ｂから形成されてよい。本発明において有用であり得る好適な不織布ウェブ材料は、これらに限定されないが、スパンボンド、スパンレイド、メルトブロー、スパンメルト、溶剤紡糸、電界紡糸、カーディング、フィルムフィブリル化、メルトフィルムフィブリル化、エアレイイング、ドライレイイング、ウェットレイイングを施した短繊維、及び当該技術分野において既知の、部分的又は全体的なポリマー繊維で形成された他の不織布ウェブ材料も含む。不織布ウェブは、主にポリマー繊維で形成され得る。いくつかの例において、好適な不織布繊維材料には、これらに限定されないが、ポリマー材料、例えばポリオレフィン、ポリエステル、ポリアミド、又は具体的にはポリプロピレン（ＰＰ）、ポリエチレン（ＰＥ）、ポリ乳酸（ＰＬＡ）、ポリエチレンテレフタレート（ＰＥＴ）、及び／又はこれらのブレンドを挙げることができる。いくつかの例において、繊維は、米国特許第５，２６６，３９２号に記載されるようなＰＰ／ＰＥブレンドで形成されていてもよい。不織繊維は、添加剤又は修飾物質として、脂肪族ポリエステル、熱可塑性ポリサッカライド、又は他のバイオポリマーなどの成分で形成されてよい、又はこれらを含んでよい。更なる有用な不織布、繊維組成物、繊維及び不織布の形成物、並びに関連する方法は、米国特許第６，６４５，５６９号、同第６，８６３，９３３号、及び同第７，１１２，６２１号、並びに米国特許出願第１０／３３８，６０３号、同第１０／３３８，６１０号、及び同第１３／００５，２３７号で説明されている。
【００３１】
不織布層２５ａ及び２５ｂが形成される個々の繊維は、単一成分であっても多成分（２成分を含む）であってもよい。多成分繊維は、例えば、コア／シース又は並列配列などの、異なるポリマー成分を備える２成分であってもよい。個々の成分としては、ポリプロピレン若しくはポリエチレンなどのポリオレフィン類若しくはこれらのコポリマー、又はポリエステル、熱可塑性ポリサッカライド、又は他のバイオポリマーが挙げられ得る。
【００３２】
一例によれば、不織布は、外部圧力が加えられてから取り除かれた時に良好な回復をもたらす材料を含んでもよい。更に一例によれば、不織布は、例えば、上述のポリマー繊維の種類から選択される、異なる繊維のブレンドを含んでもよい。いくつかの例では、繊維の少なくとも一部分は、螺旋形状を有するスパイラル捲縮を示してもよい。一例によれば、繊維は、各々が異なる材料、通常は第１及び第２のポリマー材料を含む個別の繊維である、２成分繊維を含んでもよい。並列２成分繊維の使用は、繊維にスパイラル捲縮を付与するのに有益であると考えられている。これらから形成された、好適となる可能性のある捲縮又は「クリンプ」された２成分繊維及び不織布の例は、米国特許第５，３８２，４００号、同第５，４１８，０４５号、同第５，７０７，４６８号、同第６，４５４，９８９号、同第６，６３２，３８６号、同第５，６２２，７７２号、及び同第７，２９１，２３９号に記載される。本明細書の目的のために、例えば、上記の特許文献及び／又は特許出願文献に記載されるようなクリンプされた２成分又は多成分繊維から形成された不織布の使用は、ベルト部分の形成に用いられる層２５ａ、２５ｂの一方又は両方として望ましい場合があるが、それは、以下に記述するように、これらの感触が特に柔らかく（内側は着用者にとって快適となり、外側は審美的に快い印象になる）、かつ、概して柔軟性に富んで、そのために下方後側脚部縁部で横方向に容易に引っ張れるからである。
【００３３】
図３〜５を参照すると、不織ウェブ層２５ａ、２５ｂは、複数の弾性ストランド２６などの１つ又は２つ以上の弾性部材を挟むことができる。弾性ストランドは、エラステーンなどのエラストマー材料（例えば、Ｉｎｖｉｓｔａ（Ｗｉｃｈｉｔａ，Ｋａｎｓａｓ）製のＬＹＣＲＡ  ＨＹＦＩＴ繊維）から形成され得る。不織ウェブ層２５ａ、２５ｂは、層間に付着した接着剤によって、熱結合によって、加圧結合によって、又はこれらの組み合わせによって、弾性ストランド２６周りで一緒に接合してよい。他の例において、１つ以上の弾性部材は、エラストマー材料により形成されたフィルムのストリップ又は切片でもよい。弾性部材が細長い場合、ストランド２６が図に示されるように、より長い寸法が横方向に配向される、あるいは更には横方向と実質的に整列されることが望ましい場合がある。
【００３４】
弾性部材は、ゴム、スチレン−エチルブチレン−スチレン、スチレン−エチレン−プロピレン−スチレン、スチレン−エチレン−エチレン−プロピレン−スチレン、スチレン−ブタジエン−スチレン、スチレン−イソプレン−スチレン、ポリオレフィンエラストマー、エラストマーポリウレタン、及び当該技術分野において既知の他のエラストマー材料、並びにこれらの組み合わせなど、様々なその他の材料からでも形成され得るが、これらに限定されない。いくつかの例では、弾性部材は、任意の数のストランド（又はフィラメント）を有する押出ストランド弾性体であってもよい。弾性部材は、５０〜２０００の範囲のデシテックス、若しくはこの範囲の任意のデシテックス値に関する任意の整数値、又はこれらの整数値のいずれかによって形成される任意の範囲を有し得る。弾性部材は、フィルム形態であってもよい。フィルムの例は、先行特許出願に記載されている（例えば、米国特許出願公開第２０１０／００４０８２６号を参照されたい）。フィルムは、複数の副層の少なくとも１つに化合される様々な樹脂により作成することができ、副層が異なる利点をフィルムへ提供する。
【００３５】
図３〜５を更に参照すると、ベルト構造体の製造中、弾性ストランド２６などの弾性部材は、ベルト構造体に組み込まれるために、長手方向に所望の量の予歪みを加えられてもよい。続いてベルトを弛緩させた時、弾性ストランド２６などの弾性部材は、その緩んだ長さに向かって横方向に収縮する。これは、不織材料の層２５ａ、２５ｂにギャザーを付け、隆起２８及びくぼみ２９を有するひだ又はしわ２７を形成するが、これらは一般に弾性ストランド２６の長さに対して横断し、ｚ方向に延在する。
【００３６】
別の例では、ベルト積層体の構成要素を接着するために、ベルト積層体中に組み込む前に、弾性ストランド２６自体が、個別に接着剤で被覆されていてよい（「被覆ストランド」）。ストランドコーティング法及び技術を含む様々なコーティング法及び技術が、例えば、米国特許第５，３４０，６４８号、同第５，５０１，７５６号、同第５，５０７，９０９号、同第６，０７７，３７５号、同第６，２００，６３５号、同第６，２３５，１３７号、同第６，３６１，６３４号、同第６，５６１，４３０号、同第６，５２０，２３７号、同第６，５８２，５１８号、同第６，６１０，１６１号、同第６，６１３，１４６号、同第６，６５２，６９３号、同第６，７１９，８４６号、及び同第６，７３７，１０２号に示されている。使用する接着剤は、予歪みが付与された弾性材料を基材に取り付けるために適合させる、弾性及びたわみ性を有するホットメルト型接着剤、例えば、Ｂｏｓｔｉｋ，Ｉｎｃ．（Ｗａｕｗａｔｏｓａ，Ｗｉｓｃｏｎｓｉｎ）から入手可能なＯＭＮＩＭＥＬＴ  ＢＬＯＣＫＳ  ２２Ｈ２４０１Ｆ又はＡＶＡＮＣＥなどのＺＥＲＯＣＲＥＥＰであってよい。
【００３７】
図２Ａを参照すると、後側ベルト部分２３は、前側ベルト部分２２よりも大きな長手方向寸法（即ち、より長い長さ）を有し得る。これは、着用者の解剖学的構造及び自然な身体の動きとより良好に順応することを介して、前側でより優れた快適性を提供しながらも、後側で着用者の殿部領域をより広範に被覆する上で役立ち得る。しかしながら、図２Ａの例では、２つの部分２２、２３が、これらに対応する腰部縁部３４、３５を実質的に整列させて、サイドシームの位置で接合される時、後側脚部縁部１８は、前側脚部縁部よりも下に位置して、シームの位置において段階的な脚部縁部の外形を形成する。望ましくないとみなされる場合は、例えば米国特許出願第６２／０４２３８７号で示されかつ説明されるように、弾性部材間の予歪みのレベルを選択、配置、及び／又は変化させ、後側ベルト部分の下方後側角部を、長手方向軸ｙに向けて横方向に内向きに引っ張ることによってこの効果を緩和させてもよい。こうした実施で起こり得る望ましい結果を、図６Ａに概略的に示す。
【００３８】
あるいは、図２Ｂ及び６Ｂに示されるように、後側ベルト部分の下方後側角部を切り落としてもよい。下方後側角部は、図２Ｂ及び６Ｂに示されるよう直線に沿って切り落としてもよく、あるいは、所望され得るように、湾曲し、かつ後側ベルト部分２３の残部領域に対して凹状又は凸状のいずれかである切り落とし経路（図示せず）に沿って切り落として、特定の湾曲した後側脚部縁部外形を付与してもよい。上記のこうした切り落とし及び弾性ストランドの構成と共に、後側ベルト部分２３の縁部１８に沿った層２５ａと２５ｂとの間に結合４０を付与することが望ましい場合がある。このような結合部は、不揃いの外観を作り出すことに寄与し得る縁部１８に沿った層の分離を一切防止する役割を果たし得、また更に、シーム２４下の弾性ストランドの収縮力の下で後側ベルト部分を中央シャーシ３０に向かって効率的に横方向の内側に引き寄せるのにも役立ち得る。結合４０は、例えば、米国特許第４，８５４，９８４号、及び同第４，９１９，７３８号に記載されるように、機械的結合／加圧結合により、熱接着若しくは溶接により、又は接着剤を層２５ａと２５ｂとの間の堆積物によって達成され得る。図２Ｂで示されるように、このような結合は、縁部１８に沿ってパターンを形成し得る。このような結合は、概して後側ベルト部分２３を積層構造体としてまとめる層２５ａと２５ｂとの間の任意の結合の捕捉であってよい。
【００３９】
サイドシーム２４は、恒久的であっても再締結可能であってもよい。恒久的シームは、任意の結合機構によって前側ベルト部分と後側ベルト部分との間に形成でき、前側及び後側ベルト部分は、前側及び後側ベルト部分の一方又は両方に実質的な損傷を与えることなしに、あるいは実質的な再取付又は再締結が実施可能な任意の内蔵機構なしに、強制的に分離することはできない。恒久的シームを形成する結合としては、加圧結合、熱結合／溶接、超音波結合、又は接着剤結合が挙げられ得る。再締結可能シームは、前側及び後側ベルト部分の実質的に非破壊性の強制的分離、及び続く同じ位置での実質的な再取付又は再締結を可能にするように構成された任意の機構によって、前側ベルト部分と後側ベルト部分との間に形成され得る。このような機構の一例は、マジックテープシステム、例えば、ＶＥＬＣＲＯ締結システムである。好適に寸法決め及び形状決めされたフック構成要素は、その長手方向縁部に沿って前側又は後側ベルト部分のうちの一方に結合することができ、好適に寸法決め及び形状決めされたループ構成要素は、その長手方向縁部に沿って前側又は後側ベルト部分のもう一方に結合することができ、これらの位置は、これらが接合及び係合してシーム２４を形成し得る位置である。例は、米国特許出願第６１／７８７，４１６号、同第６１／７８７，３３２号、同第６１／６６６，０６５号に示されている。
【００４０】
吸収性構造体
吸収性構造体１１５は、基材層１１６と、前記基材層１１６によって支持され、その上で不動化された吸収性ポリマー粒子及び任意選択的なセルロースを含む吸収性層１１７と、を含む三次元構造体である。吸収性構造体１１５の例を、図８、１０Ａ、１０Ｂ、１４、１５Ａ、及び１５Ｂに示す。
【００４１】
吸収性構造体の基材層１１６は、吸収性ポリマー粒子を支持可能な任意の材料であってよい。これは、発泡体、フィルム、織布及び／又は不織布材料などのウェブ又はシート材料であってもよい。
【００４２】
不織布材料及びその製造方法は、当該技術分野で一般に既知である。一般に、不織布材料の製造方法は、繊維を所望の坪量まで形成表面上に堆積及び蓄積する工程と、蓄積した繊維を凝固及び結合してコヒーレントウェブを形成する工程と、の２つの工程を含む。第１の工程は、スパンレイイング、メルトブロー、カーディング、エアレイイング、ウェットレイイング、コフォーム、及びこれらの組み合わせを含み得る。結合工程は、水流交絡、コールドカレンダー、ホットカレンダー、通風熱結合、化学結合、ニードルパンチング、及びこれらの組み合わせを含み得る。
【００４３】
不織布材料は積層体であってもよい。積層体は、スパンボンド層（Ｓ）、及び／又はメルトブローン層（Ｍ）、及び／又はカード層（Ｃ）を含み得る。好適な積層体としては、ＳＳ、ＳＳＳ、ＳＭＳ、又はＳＭＭＳが挙げられるが、これらに限定されない。不織布材料は、約５〜１００ｇｓｍ、約８〜４０ｇｓｍ、又は約８〜３０ｇｓｍの坪量を有し得る。織布又は不織布材料は、天然繊維、若しくは合成繊維、又はこれらの組み合わせを含み得る。基材層１１６、及び吸収性層１１７は同一の広がりを有してもよく、あるいは基材層１１６は、吸収性層１１７よりもわずかに長く、かつ広くてもよい（図８、１０Ａ、１０Ｂ、１４、及び１５に示す通り）。
【００４４】
吸収性層１１７は、吸収性ポリマー粒子１５０、及び任意によりセルロースを含み得る。吸収性層は、吸収性ポリマー繊維などのその他の形態で吸収性ポリマーを含んでもよい。吸収性ポリマー粒子については下記でより詳細に説明する。吸収性ポリマー粒子は、単独又は他の材料と組み合わせて使用され得る。いくつかの例では、吸収性層は、セルロースと組み合わされた、吸収性ポリマー粒子を含む。本明細書で使用する時、「セルロース」は、繊維形態の粉砕木材パルプを指し、当該技術分野においては「エアフェルト」と称される場合もある。いくつかの例では、吸収性層は、７０重量％超、８０重量％超、９０重量％超、９５重量％超、又は更に１００重量％の吸収性ポリマー粒子を含む。いくつかのその他の例では、吸収性層は、吸収性ポリマー粒子、及び５重量％未満のセルロース、又は２重量％未満のセルロースを含み、あるいは更にはセルロースを実質的に含まない。吸収性層がセルロースを含まない例では、吸収性層中の唯一の吸収性材料は、吸収性ポリマー（粒子、繊維など）である。得られる吸収性構造体は、セルロース繊維を含む従来の吸収性構造体と比較して、乾燥状態でより薄い厚さを有する。薄い厚さは、着用者に対する吸収性物品のフィット感及び快適性を改善するのを助ける。
【００４５】
吸収性層１１７は、少なくとも２つの主チャネル１２６を含み得る。図２Ａ、図２Ｂ、及び８〜１４を参照すると、本明細書で使用する時「チャネル」とは、吸収性層の吸収性ポリマー粒子の堆積物を通り、吸収性層１１７のｚ方向厚さを部分的又は完全に貫いて延在し、かつ、吸収性構造体によって占有される空間において、吸収性ポリマー粒子の単位空間体積密度あたりの質量が比較的少ない領域によって、又は更には吸収性ポリマー粒子が実質的に存在しない領域（即ち、吸収性構造体のこうした体積（長手方向チャネル又は二次チャネル）内に吸収性ポリマー粒子が実質的に存在しない領域）によって、特性化される、トラフ又はその他の識別可能な細長い通路を指す。チャネルは、その端部に２つのより短い境界１２８（最短寸法の）と、これらの側部に沿ってより短い境界を接続する２つのより長い境界１２７（最長寸法の）と、を有し得る。より短い境界は真っ直ぐ（例えば、より長い境界に対して垂直）であっても、角度を付けられていても、湾曲していてもよい。チャネルは、少なくとも３ｍｍの、又は吸収性層の横断方向幅Ｎの少なくとも４％の、平均幅Ｗを有し得る（チャネルの平均幅は、より長い境界間の平均距離として画定される）。
【００４６】
チャネルは恒久的であってよい。恒久的とは、チャネルの完全性が、乾燥状態と湿潤状態の両方で実質的に維持される、即ち、チャネルが濡れの影響に対して実質的に耐久性があり（例えば、非水溶性の材料によって構造が維持される）、かつ、吸収性ポリマー粒子の膨化、それによって生じる構造体内の圧力、及び着用者の身体の動きによって引き起こされる材料内の機械的応力に実質的に耐えることを意味する。恒久的なチャネルは、吸収性層上に熱可塑性接着剤を塗布することなどによって、基材層上で吸収性ポリマー粒子を不動化することにより形成され得る。本開示の吸収性層は、第１の基材層（１１６）と第２の基材層（１１６’）とをチャネルに沿って恒久的に一体に結合することによって形成される恒久的なチャネルを更に含み得、それにより、一実施例では、吸収性ポリマー粒子堆積物を隔離及び収容して、それによって、それを貫くチャネルを画定するチャンバを形成する。基材層１１６、１１６’をチャネルに沿って一体に結合するために接着剤を用いてもよいが、例えば、超音波結合、加圧結合、又は熱結合などのその他の手段を介して基材層を一体に結合してもよい。支持層は、チャネルに沿って連続的に結合してもよく、又は断続的に結合してもよい。
【００４７】
吸収性層は、チャネルによって吸収性層が股部区域１２３で３つの区画に分割されるように、吸収性層１１７内に位置決めされた２つのチャネル１２６を有し得る。図２Ａ、２Ｂ、及び８〜１０に示されるように、チャネルは吸収性層の股部区域内に存在し得る。いくつかの例では、２つのチャネルは、吸収性層の長さＭの少なくとも１５％、少なくとも２０％、又は少なくとも３０％、かつ最大で５０％、最大で７０％、又は最大で９０％に沿って長手方向に延在し得る（即ち、これらは吸収性層の長さＭの少なくとも１５％であって最大で５０％、最大で７０％、又は最大で９０％である距離Ｌ上に延在し得る）。いくつかの例では、チャネルは股部区域１２３にのみ存在し得る。股部区域にのみ存在する場合、チャネルは股部区域の長手方向寸法全体（例えば、吸収性層の長さＭの５０％）に延在し得、あるいは、これらは股部区域の一部のみ（即ち、吸収性層の長さの少なくとも１５％、少なくとも２０％、又は少なくとも３０％〜４０％、〜４５％、又は〜５０％未満）に延在し得る。いくつかの例では、チャネル１２６は、股部区域又はその一部、並びに前側区域の一部及び／又は後側区域の一部（図８〜１０に示されるものなど）に存在し得る。いくつかの例では、チャネルは前側及び股部区域に存在してもよい（即ち、チャネルは股部区域（又はその一部）から前側区域内に延在する）。いくつかの例では、チャネルは後側及び股部区域に存在してもよい（即ち、チャネルは股部区域（又はその一部）から後側区域内に延在する）。チャネル１２６は、吸収性層１１７の長手方向軸ｙに対して互いに鏡像であってもよく、即ち、吸収性層１１７の一方の長手方向区域１２０におけるチャネルは、もう一方の長手方向区域における長手方向主チャネルの鏡像であってもよい。
【００４８】
いくつかの例では、チャネル１２６が吸収性層１１７の横断方向縁部１１９（前側及び後側）の一方又は両方に完全に（即ち、一方の横断方向縁部から他方の横断方向縁部まで）延在しないことが望ましい場合がある。吸収性層は、各横断方向縁部に沿って、かつ前記縁部に隣接して、吸収性層の横断方向寸法を、吸収性層１１７の一方の長手方向縁部１１８からもう一方まで延在する、チャネルを有さない吸収性ポリマー粒子の端部堆積物（end deposit）を含み得る。こうした端部堆積物はそれぞれ、吸収性層の長手方向寸法の少なくとも５％（即ち、吸収性層の長さの少なくとも５％の幅）である、幅Ｆ’又はＧ’を有し得る。換言すれば、吸収性層のチャネルの縁部と横断方向縁部との間の最小距離Ｆ’又はＧ’は、吸収性層の長手方向寸法Ｍの少なくとも５％である。いくつかの例では、幅Ｆ’又はＧ’は、吸収性層の長手方向寸法の少なくとも５％〜１５％、又は〜１０％である。
【００４９】
更に、流体の漏れ及び流出のリスクを低減するために、チャネルが、吸収性層１１７の長手方向縁部１１８まで延在しないことが望ましい場合がある。吸収性層は、各長手方向縁部に沿って、吸収性層の長さＭを一方の横断方向縁部１１９からもう一方まで延在する、チャネルを有さない吸収性ポリマー粒子の側部堆積物を含んでもよい。こうした側部堆積物は、それぞれ所定の区域の吸収性層の幅Ｎの少なくとも５％、又は少なくとも１０％、又は少なくとも１２％〜２５％の幅Ｉ’又はＨ’（即ち、吸収性層の幅Ｎの少なくとも５％である、幅Ｉ’又はＨ’）を有し得る。換言すると、チャネルの縁部と、吸収性層の長手方向縁部１１８と、の間の最小距離Ｉ’又はＨ’は、吸収性層の横断方向寸法の少なくとも５％〜２５％である。例えば、股部区域の距離Ｉ’又はＨ’は、前記股部区域の吸収性層の横断方向寸法Ｎの少なくとも５％、少なくとも１０％、又は少なくとも１２％に相当し得る。いくつかの例では、距離Ｉ’及び／又はＨ’は、１０ｍｍ、又は１５ｍｍ、又は２０ｍｍである。
【００５０】
チャネルは実質的に真っ直ぐであってもよく、吸収性層の長手方向軸ｙに実質的に平行に通ってもよい（図１０Ａ、１０Ｂ、及び１１Ａに概略的に示すように）。真っ直ぐのチャネルは吸収性構造体内でヒンジ構造としての役割を果たすことができ、これは、吸収性構造体を長手方向に屈曲させて、それにより股部区域を通る横断方向に沿って着用者の解剖学的構造により良好に適合させることに役立ち得、また、パンツ着用時に、吸収性構造体に、完全に吸収される前の液体排泄物を受容及び収容するのにより適した収容形状を形成させることにも役立ち得る。長手方向に延在したチャネルは、吸収性構造体内で吸収性ポリマー粒子の堆積物の長さに沿った流体の輸送及び分配を改善することにも役立ち得、それによって液体吸収速度の増加に役立ち得る。
【００５１】
あるいは、図８、９、１２、及び１３で示唆するように、チャネルは湾曲状及び／又は弧状であってもよい。長手方向に延在しているが湾曲したチャネルは、吸収性構造体を長手方向に屈曲させ、それによって股部区域で横断方向に沿って着用者の解剖学的構造に適合させるのに役立ち得る、吸収性構造体内のヒンジ構造としての機能も果たし得る。したがって、チャネルは、液体輸送及び分配の改善を可能にすることに加えて、快適性及び優れたフィットを付与することにも貢献し得る。
【００５２】
図１１Ｃ、１２、及び１３に示すように、チャネル１２６は、斜めのチャネル、即ち、吸収性構造体の長手方向中心軸ｙに対して最大３０度、最大２０度、又は最大１０度の角度に配向された実質的に真っ直ぐなチャネルを含み得る。
【００５３】
図１１Ｄに示すように、いくつかの他の代案では、チャネルは角度付きチャネルであり得る。角度付きチャネルは、互いに対して角度を付けて接続される２つ以上の部分から作られるチャネルである。角度付きチャネルは、少なくとも１５０度、少なくとも１６０度、又は少なくとも１７０度の角度βで接続された２つの部分から作られ得る。
【００５４】
チャネル１２６は、３ｍｍ〜１５ｍｍ、４ｍｍ〜１４ｍｍ、又は５ｍｍ〜１２ｍｍの平均幅Ｗを有し得る（チャネルの平均幅は、そのより長い境界１２７間の平均距離である）。チャネルの平均幅は、吸収性層の幅の少なくとも４％、又は少なくとも７％、かつ最大１５％、又は２０％、若しくは２５％である。いくつかの例では、チャネルは、３ｍｍ〜１８ｍｍ、５ｍｍ〜１５ｍｍ、又は６〜１０ｍｍの平均幅Ｗを有し得る。
【００５５】
チャネル１２６は、股部区域で、前記股部区域の吸収性層の横断方向寸法（幅）の少なくとも５％、少なくとも１０％、少なくとも２０％、又は少なくとも２５％である距離Ｄ（図８に示される）で離間されてもよい。これらの２つのチャネルが、吸収性層の股部区域で横断方向寸法の少なくとも５％の距離で離間されていると、パンツ着用時に吸収性構造体が横断方向に沿って着用者の解剖学的形状により適合し、かつ股部区域内に収容構造を形成しやすくなるものと考えられる。いくつかの例では、チャネルは股部区域において、少なくとも１０ｍｍ、少なくとも１５ｍｍ、少なくとも２０ｍｍ、又は少なくとも３０ｍｍの距離を離間し得る。いくつかの例では、股部区域においてチャネルを離間させる距離は２０〜３０ｍｍである。
【００５６】
吸収性層に形成される長手方向に配向されたチャネルは、吸収性層内の吸収性ポリマー粒子の堆積物の長さに沿って液体（例えば尿）を輸送及び分配する上で役立ち、それにより捕捉及び吸収の速度の増加に役立ち得る。しかしながら、対応して画定された、吸収性ポリマー粒子の堆積物を収容又は画定する長手方向チャンバ又はその他の構造体は、粒子が液体を吸収し、膨化し、互いに圧し合うと、内部圧力を高めさせる場合がある。この圧力は、吸収性構造体に対して長手方向の構造剛化作用を有し得る。吸収性構造体が着用者の脚部間に巻き付くと、内部圧力によって、吸収性層に、着用者の胴体下部の周囲及び下で容易に湾曲するのではなく、長手方向に真っ直ぐになる傾向がもたらされる。この剛化作用は、湿潤時に物品がずり落ちた又は垂れ下がった外観を作ることを防ぐのに役立ち得る。その一方で、図７に概略的に示すように、この剛化作用は、吸収性構造体の前方及び後方端部を着用者の身体から前方及び後方に遠ざかるように膨張させて、吸収性層の前方及び後方端部の近傍に、顕著で、見苦しく、かつ不快となり得る膨張部２１９を作り出し得ることが判明した。この作用は、パンツ構造体のいくつかの代替的構造のうちの１つ又は２つ以上によって緩和され得ることが判明した。
【００５７】
図１２及び１３に示すように、吸収性層は、流体の輸送及び／又は吸収性物品のフィット感を更に改善するための追加的な二次チャネル１２６’を含み得る。チャネルの上記の説明は、上記の二次チャネル１２６’のいずれにも等しく適用され得る。しかしながら、いくつかの例では、二次チャネルは、上記で説明したチャネルより短くてもよい。
【００５８】
長手方向二次チャネルは、吸収性層の長手方向寸法Ｍの少なくとも１０％、少なくとも１５％、又は少なくとも２０％の距離Ｖ’にわたって延在してもよい（図１３に示すように）。これらは、吸収性層の長手方向寸法の９０％まで延在してもよい。長手方向二次チャネルは、吸収性層の長手方向寸法の３０％又は４５％まで延在し得る。
【００５９】
吸収性層は、２つ、３つ、４つ、５つ、又は６つなど、１つ又は２つ以上の二次チャネルを含み得る。二次チャネルは、吸収性層の前側区域、後側区域、及び／又は股部区域に存在し得る。吸収性層は、偶数の二次チャネルを含み得る。二次チャネルは、吸収性層において、吸収性層の各長手方向区域が同数の二次チャネルを含むように分布し得る。いくつかの例では、チャネルを含む長手方向区域（即ち、主長手方向チャネル及び二次チャネル）は、吸収性層の中央長手方向軸に対して互いに鏡像である。
【００６０】
図１４及び１７〜１９に示すように、その他の例では、吸収性層は１つ又は２つ以上の横断方向二次チャネル１２９を更に含み得る。横断方向チャネル１２９は、主に横断方向に、又は更には吸収性層１１７の長手方向軸ｙに実質的に垂直に配向された、それらのより長い寸法を有し得る。吸収性構造体は着用者の胴体下部の周囲及び下で脚部間を前側から後側に巻き付くため、横断方向チャネルは、吸収性構造体を横方向に屈曲させ、それによって長手方向に沿って着用者の解剖学的形状に適合させ得る横断方向ヒンジ構造としての役割を果たし得る。図７に示すように、これは、チャネルの長手方向の剛化作用を緩和させるのに役立ち得る。
【００６１】
横断方向チャネルは、ベルトの下縁部２１の上（図１７）、又はその下（図１８）に配置され得るが、充填された吸収性層の良好な外観及び形状の制御のためには、横断方向チャネルが１つ又は２つのみ存在する時は、一方又は両方がベルトの下縁部の上に配置されることが好ましい場合がある（図１７に示すように）。代替的な例では、横方向軸ｘと前側ベルト部分及び／又は後側ベルト部分の下縁部２１との間に１つ又は２つ以上の横断方向チャネルを配置してもよい。
【００６２】
横断方向に配向された二次チャネル１２９は、吸収性層の幅Ｎの少なくとも１０％、又は少なくとも１５％、又は少なくとも２０％の距離にわたって延在してもよい。これらは、吸収性層の横断方向寸法の９０％まで延在してもよい。横断方向二次チャネル１２９は、吸収性層の横断方向寸法の３０％又は４５％まで延在し得る。図１９に示すように、いくつかの例では、横断方向チャネル１２９は、主チャネル１２６と接続し得る。図１４、１７、及び１８に示すように、いくつかの例では、横断方向チャネル１２９は個別であって、主チャネル１２６から離間していてもよい。
【００６３】
チャネルは、吸収性層の中央長手方向軸に沿って（前記軸を含んで）一方の横断方向縁部からもう一方の横断方向縁部まで延在し、かつ吸収性層の横断方向寸法の少なくとも５％、又は少なくとも１０％、及び最大で６０％、最大で７０％、又は最大で７５％である幅Ｄ’を有する吸収性ポリマー粒子の中央堆積物が、チャネルを含まないままであるように、吸収性層中で寸法決め及び位置決めされてもよい。吸収性ポリマー粒子は、こうした中央堆積物内で、実質的に連続的に存在し得る。例えば、中央堆積物は、少なくとも５ｍｍ、少なくとも１０ｍｍ、又は少なくとも１５ｍｍ、若しくは２０ｍｍ、及び最大で７０ｍｍ、又は最大で４０ｍｍの幅Ｄ’を有し得る。こうした中央堆積物にチャネルが存在しないことは、パンツの着用時におむつが股部区域で（横断方向に沿って）逆Ｖ字型の構成を取ることを少なくとも抑制するために有利である。逆Ｖ字型の構成は、脚部開口部に沿って液体が漏出するリスクを増加させ得る。いくつかの例では、こうした中央堆積物における吸収性ポリマー粒子の平均坪量は比較的高く、即ち、少なくとも３５０ｇｓｍ、及び最大で１０００ｇｓｍ、又は例えば４５０ｇｓｍ〜７５０ｇｓｍであり、吸収性層のその他の位置における坪量よりも高い。
【００６４】
その他の例では、チャネル１２６と、吸収性ポリマー粒子の堆積物を収容した対応する長手方向に配向された容積と、を画定する吸収性層構造体は、構造体を乾燥時の第１の構成から、吸収性層の合計吸収能力の、例えば１／４、１／３、１／２、２／３、又はそれ以上（吸収された液体の重量基準で）まで湿潤した時の第２の構成に変化させる機構を付与され得る。例えば、対応して長手方向に配向された吸収性ポリマー粒子の堆積物を収容又は画定する長手方向チャンバ又はその他の構造体を形成し、かつこれらの間にチャネルを画定するために用いられる材料は、湿潤時に構造を変化させるように構成され得る。図１５Ａ及び１５Ｂに関連して示される一例では、吸収性構造体１１５は、乾燥時の第１の構成（例えば、図１５Ａ）、及び例えば、その吸収能力の半分超まで湿潤した時の第２の構成（例えば、図１５Ｂ）を有し得る。これを実現するために用いられ得る１つの機構は、共にチャネル１２６に沿って、したがってチャネル１２６を画定する、水溶性又はその他の方法で解放可能な接着剤固着基材層１１６及び１１６’であり得る。濡れ、並びに／又は吸収性ポリマー粒子の膨化した堆積物層１１６及び１１６’に対する外向きの圧力が加わると、接着剤が解放されて、吸収性ポリマー粒子の膨化性堆積物がチャネル１２６によって予め画定された容積に膨張させられ、これは続いて寸法が縮小するか、又は更には図１５Ｂに示すように消失し得る。これは、上記の長手方向の剛化作用を軽減させ得る、吸収性層１１７及び吸収性構造体１１５内の圧力を緩和させる作用を有し得る。かくして、チャネルの利点（可撓性、適合性、及び液体分配の強化）は、パンツが実質的に湿潤する前の時点で享受することができ、一方でチャネルの欠点（長手方向の不撓性）は、パンツが実質的に湿潤した後の時点で緩和され得る。
【００６５】
この変化するチャネル構造体は、単独で用いられてもよく、又は本明細書で説明する任意の構成が挙げられるが、それらに限定されない任意の所望の構成の恒久的チャネル構造体と組み合わせられてもよい。
【００６６】
更なる例では、主チャネル１２６は長手方向に長さを有し得る。この長さは、３つ、４つ、５つ、又はそれ以上の下位長さ（sublengths）に分割され得る。チャネルを画定する構造体は、下位長さのうちの１つ又は２つ以上に沿ってチャネルを恒久的に画定するが、下位長さのうちのその他に沿ってチャネルを可変的に画定して、その結果、湿潤時にこれらの寸法が縮小するか、又は消失するように構成され得る。ある一例では、パンツの横方向軸ｘに近接する領域でチャネルは恒久的に画定され、また、例えば、上述したように、横方向軸ｘからより更に離れた領域では、可変的に／解放可能に画定される。いくつかの例では、チャネル端部、及び／又はその近傍での１つ又は２つ以上の下位長さは、湿潤時に可変的／解放可能である。特定の一例では、１つ又は２つ以上の長手方向主チャネル１２６は５つの下位長さに分割される。中間の下位長さは恒久的に画定してもよく、一方でチャネルの各端部に向かう２つの下位長さは、上述したように、湿潤時にこれらの寸法が縮小するか、又は消失するように、可変的／解放可能に画定されてもよい。１つ又は２つ以上の長手方向に配向されたチャネルを含む代替的な例では、チャネルの一部分は恒久的であってもよく、チャネルの一部分は一時的又は解放可能であってもよい。チャネルの一時的な部分は、ベルトの横方向軸ｘと下縁部２１との間に配置され得る。いくつかの例では、チャネルの一時的な部分は、チャネルの一方又は両方の端部に配置されてもよく、また、一方又は両方の端部においてチャネルの乾燥長さの１０〜２５％を占めてもよい。更に、チャネルの一時的な部分は、チャネルの長さに沿って断続的に配置してもよく、また、チャネルの恒久的な部分と交互になってもよい。
【００６７】
必要に応じて上述のチャネル機構の任意の組み合わせと組み合わせることが可能な別の代替的な例では、パンツの着用時に、吸収性層１１７は、その端部１１９のうちの一方又は両方が、ベルト部分２２、２３の１つ又はすべての層の下に配置されるように、長手方向に延在し得る。非限定的な実施例を図１６Ａ〜１９に示す。特定の態様では、パンツの着用時に、長手方向に配向される主チャネル１２６のすべては、その端部の一方（図１６Ａ、１６Ｂ）又は両方（図１６Ｃ）が、ベルト部分２２、２３の一方又は両方の着用者側に配置されるように延在し得る。非限定的な実施例を図１６Ａ〜１６Ｄ、及び１９に示す。その結果、パンツの着用時に、吸収性ポリマー粒子の堆積物を収容又は画定する長手方向チャンバ又はその他の構造体の端部は、したがって、一方又は両方のベルト部分の着用者側に配置されることになる。こうした構成では、液体を吸収した結果、内部圧力のために吸収性ポリマー粒子の堆積物を収容又は画定する長手方向チャンバ又はその他の構造体が長手方向に剛性になると、その端部の一方又は両方が、ベルト部分で横方向の張力を受けることになる。これは、吸収性層の端部を拘束して、着用者の身体のより近くに保持する役に立ち、それにより、図７に概略的に示されるような膨張部２１９の形成を防ぐのに役立ち得る。
【００６８】
吸収性層、吸収性構造体、及び／又はチャネルの構成は、米国特許出願公開第２０１４／０１６３５１１号、同第２０１４／０１６３５０３号、同第２０１４／０１６３５０１号、同第２０１４／０１６３５００号、同第２０１２／０３１６５２６号、同第２０１２／０３１６５２８号、同第２０１４／０１６３５０１号、及び同第２０１４／０３７１７０１号で説明されている任意の機構を更に有してもよい。
【００６９】
吸収性層
吸収性層は、吸収性ポリマー粒子１５０を単独で、又はセルロース繊維などの他の材料と組み合わせて含み得る。吸収性ポリマー粒子は、例えば、熱可塑性接着剤１４０によって、基材層上で不動化され得る。
【００７０】
吸収性層に使用するのに好適な吸収性ポリマー粒子は、例えばＭｏｄｅｒｎ  Ｓｕｐｅｒａｂｓｏｒｂｅｎｔ  Ｐｏｌｙｍｅｒ  Ｔｅｃｈｎｏｌｏｇｙ（Ｆ．Ｌ．Ｂｕｃｈｈｏｌｚ，Ａ．Ｔ．Ｇｒａｈａｍ，Ｗｉｌｅｙ  １９９８）に記載されるように、超吸収性材料の文献から既知の、任意の吸収性ポリマー粒子を含み得る。
【００７１】
吸収性ポリマー粒子は、逆相懸濁重合によって得ることのできる球形、球状、楕円形、又は不規則形状の、例えばその種類の卵形粒子などであり得る。粒子は、より大きい不規則な粒子の凝塊を形成するために、必要に応じて少なくともある程度まで凝集させてもよい。
【００７２】
吸収性ポリマー粒子は、ポリアクリレート類、並びに、例えば部分的に中和された架橋ポリアクリレート、又は酸ポリアクリレートなどの内部架橋、及び／又は表面架橋されたポリアクリレート系材料から選択され得る。本開示で好適な吸収性ポリマー粒子の例が、例えばＰＣＴ特許出願第ＷＯ０７／０４７５９８号、同第ＷＯ０７／０４６０５２号、同第ＷＯ２００９／１５５２６５号、及び同第ＷＯ２００９／１５５２６４に記載されている。
【００７３】
別の実施例では、吸収性層は実質的にセルロースを含まない場合がある。エアフェルト及びその他のセルロース繊維は、使い捨ておむつの吸収性コアの吸収性充填剤として使用されてきた。こうした繊維は吸収特性を有しており、いくらかの吸収能力を吸収性層に付与するが、更に、構造マトリックスを提供して吸収性ポリマー粒子の分散粒子を保持するためにも含まれ得る。こうした粒子を含むことで吸収能力は強化されるが、その一方で、粒子が液体を吸収して膨化するとその間の通路をブロックし、そのため液体がその堆積物中を移動できるようになって吸収能力を損なうため、こうした粒子を適切に分散した状態に保つことは、使用中の「ゲルブロッキング」を防止するために重要であり得る。エアフェルト又はその他のセルロース繊維を、吸収性ポリマー粒子のマトリックスとして含むことは、ゲルブロッキングを低減又は防止するのに役立つ可能性がある。しかしながら、これは更に、吸収性層を、いかなる液体を吸収する前であっても嵩高にする。吸収性層の全体的な寸法及び／又は厚さを低減させることで着用者の快適性を向上させ、かつ梱包及び発送容積を効率化するためにパンツの嵩高性を低減させるため、性能制約の範囲内で可能な最も容量の低いコア材料を用いた吸収性コアを製造することが望ましい場合がある。この目的のための、好適な吸収性構造体の好適な材料及び構成の例は、米国特許出願第１２／１４１，１２２号、同第１２／１４１，１２４号、同第１２／１４１，１２６号、同第１２／１４１，１２８号、同第１２／１４１，１３０号、同第１２／１４１，１３２号、同第１２／１４１，１３４号、同第１２／１４１，１４１号、同第１２／１４１，１４３号、及び同第１２／１４１，１４６号、並びにＰＣＴ国際公開特許第２００８／１５５６９９号に記載されているが、これらに限定されない。一般に、これらの出願は、吸収性ポリマー粒子の粒子と組み合わせられる、エアフェルト又はその他の形態のセルロース繊維の必要性、及びその含有を最小化又は排除する吸収性層の構造（「実質的にセルロースを含まない」構造体）について説明している。吸収性ポリマー粒子の堆積物を形成する好適な方法が、例えば欧州特許第１６２１１６７Ａ２号、同第１９１３９１４  Ａ２号、及び同第２２３８９５３Ａ２号で更に開示されている。
【００７４】
吸収性ポリマー粒子は、基材層上で不動化され得る。不動化は、吸収性ポリマー粒子、及び存在する場合はセルロースを、基材層上に保持及び不動化する熱可塑性接着剤を適用することによって達成され得る。いくつかの熱可塑性接着剤はまた、吸収性ポリマー粒子の層内、及び基材層内に貫入して、更なる不動化及び固定をもたらし得る。熱可塑性接着剤は、基材層上での吸収性ポリマー粒子の不動化を補助し得るのみではなく、更に、チャネルの一体性の維持を補助し得る。熱可塑性接着剤は、大量の吸収性ポリマー粒子が、チャネル内に移動することを防ぐ。
【００７５】
本開示で使用するのに適した熱可塑性接着剤材料は、少なくとも熱可塑性ポリマーを、可塑剤、並びに粘着付与樹脂などの他の熱可塑性希釈剤、及び抗酸化剤などの添加剤と併せて含むホットメルト接着剤を含む。好適なホットメルト接着剤の例は、欧州特許第１４４７０６７Ａ２号に記載されている。
【００７６】
いくつかの例では、吸収性コアは、吸収性構造体のトップシートと着用者に面する側との間に配置された、捕捉システムを含む場合がある。捕捉システムは、吸収性構造体が液体を吸収できるまで液体の一時的な収容容器としての機能を果たし得る。捕捉システムは、単一層を含んでもよく、又は着用者の皮膚に面する上部捕捉層及び着用者の衣類に面する下部捕捉層などの多層を含んでもよい。捕捉システムは、吸収性構造体と直接接触してもよい。これらの例では、捕捉システムは、吸収性構造体のチャネル又はその一部分を満たし得る。いくつかの例では、捕捉システム又はその一層は、波状にうねってチャネル内に入り、前記捕捉システムに波状外形をもたらす、基材層に結合されてもよい。
【００７７】
図１５に示すように、吸収性構造体の吸収性層は、捕捉／分配層１３１を含み得る。層１３１は、例えば層、マット、あるいは例えば粉砕セルロース繊維、又はその他の親水性の天然、半合成、若しくは剛性繊維、あるいはマット、層、又はその他の本体を形成するのに用いられ得るその他の材料から形成されるか、又はそれを含むその他の本体の形態を有し得る。
【００７８】
ある実施例では、上部捕捉層及び下部捕捉層の一方又は両方は、不織布を含んでもよく、不織布は親水性であってもよい。更に、特定の実施例によると、上部捕捉層及び下部捕捉層の一方又は両方は、化学的に架橋されたセルロース繊維を含んでもよく、これらセルロース繊維は不織布材料の一部を形成しても形成しなくてもよい。一実施例によると、上部捕捉層は、架橋されたセルロース繊維を有さない不織布を含んでもよく、下部捕捉層は、化学的に架橋されたセルロース繊維を含んでもよい。更に、一実施例によると、下部捕捉層は、天然又は合成ポリマー繊維などの他の繊維と混合された、化学的に架橋されたセルロース繊維を含んでもよい。例示的な実施例によると、こうした他の天然又は合成ポリマー繊維は、表面積の大きな繊維、熱可塑性結合繊維、ポリエチレン繊維、ポリプロピレン繊維、ＰＥＴ繊維、レーヨン繊維、リオセル繊維、及びこれらの混合物を含んでもよい。上部及び下部捕捉層に好適な不織布材料としては、スパンボンド、メルトブロー、及び更なるスパンボンド層を含むＳＭＳ材料が挙げられるが、これらに限定されない。特定の実施例では、恒久的に親水性の不織布、特に、永続的な親水性コーティングをされた不織布が望ましい。別の好適な例としては、ＳＭＭＳ構造体が挙げられる。ある実施例では、不織布は多孔質である。
【００７９】
その他のベルト／シャーシ機構
図２０を参照すると、弾性ストランド２６などの弾性部材は、これらがベルト部分の下側帯２２”、２３”に存在するが、シャーシ３０上に置かれた下横方向中央帯２２’、２３’のうち一部又は全部には存在しないように、前側及び／又は後側ベルト部分２２、２３内に構成され得る。このように、一方又は両方のベルト部分を、不織布層２５ａ、２５ｂ（図３を参照）などの弾性ストランド２６を挟む層のうちの１つ又は２つ以上が、予歪みを加えられた弾性部材及び横方向にギャザーされた材料のひだべりの存在によって実現される弾性の伸長なしに、ベルト部分の下中央帯２２’、２３’に存在するように構成してもよい。シャーシの上に置かれた中央帯２２’、２３’では、一方又は両方のベルト部分２２、２３の不織布層は、これらがシャーシ上に横方向に伸張された状態で置かれる（即ち、これらが、さもなければ、予歪みを加えられ、かつ挟まれた横方向弾性ストランドによって付与されたであろう長手方向のひだべり又はしわ（例えば図４及び５に示されるひだべり又はしわ２７）を有さないようにシャーシ材料（バックシートなど）に配置されて固着され得る）。この構成では、シャーシ３０の下中央帯２２’、２３’に置かれ、長手方向のひだべりを有さないために、ベルト部分の他の弾性のひだべりを有する帯と比較して横方向の弾性的な伸長ができないか又はより少ない、完全に伸張されたベルト層材料は、横方向の拡張に対してより大きく抵抗して、シャーシ材料の抵抗を補い、吸収性層１１７の端部の支持及び拘束を補助するように構成される。その結果、吸収性層１１７によって液体が吸収された時の外向き膨張部２１９の突出部（図７に示すものなど）は、縮小され得る。この機構は、上記の吸収性層１１７の膨張部の突出部を縮小させる相乗効果の可能性のために、上記のチャネル構造のいずれかと組み合わせてもよい。こうして、図２０に示す一実施例では、主長手方向チャネル１２６の前端部は、前側ベルト部分２２の非弾性下中央帯２２’の下に（着用者に面する側に向けて）配置してもよい。いくつかの例では、ベルト部分及びシャーシは、シャーシ上に置かれた非弾性部分を有するベルト構造の更なる例を説明する、ＰＣＴ／ＣＮ２０１４／０９４８９０号に記載される機構を有するように構成され得る。
【００８０】
更なる例では、下側帯２２”、２３”に存在する１つ又は２つ以上の弾性ストランド２６は、ベルト構造体において、腰部縁部により近い上帯よりも大きな引っ張り収縮力を下側帯２２”、２３”の１つ又は２つ以上に付与するために、（例えば、デシテックス及び／又は引っ張り係数によって）選択、並びに／又は（例えば、ベルトの長手方向の数字計数／単位長手方向寸法、及び／若しくは付与された予歪み量によって）構成されてもよい。この後者の例は、腰部バンド領域及び腰部縁部周辺に比較的小さな横方向収縮張力と、着用者の臀部下部の周囲に、より強力な支持、チャネル形成された吸収性層の膨張に対する抵抗性、及びパンツの固定力を備えた比較的大きな横方向収縮力と、を提供することによって、パンツ着用時の快適性を強化するのに役立ち得る。こうして、下側帯２２”、２３”の一方又は両方における弾性ストランド２６の１つ又は２つ以上は、同じ前側又は後側ベルト部分における腰部縁部により近い上帯における弾性ストランド２６のうちの１つ又は２つ以上よりも大きなデシテックス、より大きな引っ張り係数、ベルト部分の単位長手方向長さにつきより多いストランド２６の数、又はより大きな予歪み量のうちの１つ又は２つ以上を有し得る。この機構は、単独でも、あるいは上記で説明したベルトの非弾性中央帯２２’、２３’を含めることと組み合わせて組み込んでもよい。
【００８１】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【００８２】
相互参照される又は関連する任意の特許又は特許出願、及び本願が優先権又はその利益を主張する任意の特許出願又は特許等の、本願に引用されるすべての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせた時に、そのような発明すべてを教示、示唆、又は開示するとはみなされない。更に、本文書における用語の任意の意味又は定義が、参照することによって組み込まれた文書内の同じ用語の意味又は定義と競合する程度に、本文書におけるその用語に与えられた意味又は定義が適用されるものとする。
【００８３】
本発明の特定の実施例を例示及び説明してきたが、本発明の趣旨及び範囲から逸脱することなく、他の様々な変更及び修正を行うことができることが当業者には明白であろう。したがって、本発明の範囲内に含まれるそのようなすべての変更及び修正は、添付の特許請求の範囲にて網羅することを意図したものである。
【図１】
2019150655.tif 000003
【図２Ａ】
2019150655.tif 000004
【図２Ｂ】
2019150655.tif 000005
【図２Ｃ】
2019150655.tif 000006
【図３】
2019150655.tif 000007
【図４】
2019150655.tif 000008
【図５】
2019150655.tif 000009
【図６Ａ】
2019150655.tif 000010
【図６Ｂ】
2019150655.tif 000011
【図７】
2019150655.tif 000012
【図８】
2019150655.tif 000013
【図９】
2019150655.tif 000014
【図１０Ａ】
2019150655.tif 000015
【図１０Ｂ】
2019150655.tif 000016
【図１１Ａ】
2019150655.tif 000017
【図１１Ｂ】
2019150655.tif 000018
【図１１Ｃ】
2019150655.tif 000019
【図１１Ｄ】
2019150655.tif 000020
【図１１Ｅ】
2019150655.tif 000021
【図１２】
2019150655.tif 000022
【図１３】
2019150655.tif 000023
【図１４】
2019150655.tif 000024
【図１５Ａ】
2019150655.tif 000025
【図１５Ｂ】
2019150655.tif 000026
【図１６Ａ】
2019150655.tif 000027
【図１６Ｂ】
2019150655.tif 000028
【図１６Ｃ】
2019150655.tif 000029
【図１６Ｄ】
2019150655.tif 000030
【図１７】
2019150655.tif 000031
【図１８】
2019150655.tif 000032
【図１９】
2019150655.tif 000033
【図２０】
2019150655.tif 000034
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
中央横方向軸と、前記中央横方向軸に対して垂直の方向に延びる中央長手方向軸と、前側区域と、後側区域と、前記前側及び後側区域の間の股部区域と、
液体透過性トップシートと、液体透過性バックシートと、前記トップシートと前記バックシートの間に少なくとも部分的に位置する吸収性構造体と、
を備えており、
前記吸収性構造体は、対向する横断方向縁部と長手方向縁部とを備える吸収性層を有しており、
前記吸収性層は、吸収性ポリマー粒子とセルロース繊維を備える吸収性材料を備えており、
前記吸収性材料は、一時的部分と恒久的部分とを備える少なくとも１つのチャネルを画定しており、前記一時的部分は湿潤時に寸法が縮小する、
吸収性物品。
【請求項２】
前記一時的部分は、前記少なくとも１つのチャネルの端部に配置される、請求項１に記載の吸収性物品。
【請求項３】
前記少なくとも１つのチャネルは、湾曲状である、請求項１又は請求項２に記載の吸収性物品。
【請求項４】
前記少なくとも１つのチャネルは、直線状である、請求項１又は請求項２に記載の吸収性物品。
【請求項５】
前記少なくとも１つのチャネルは、前記吸収性層の前記長手方向縁部又は前記横断方向縁部にまで延びていない、請求項１乃至請求項４のいずれかに記載の吸収性物品。
【請求項６】
前記恒久的部分は、前記中央横方向軸に重なる、請求項１乃至請求項５のいずれかに記載の吸収性物品。
【請求項７】
前記一時的部分は、乾燥状態における前記チャネルの長さの１０％から２５％である、請求項１乃至請求項６のいずれかに記載の吸収性物品。
【請求項８】
前記一時的部分は、前記後側区域に配置される、請求項１乃至請求項７のいずれかに記載の吸収性物品。
【請求項９】
前記吸収性材料は少なくとも２つの長手方向主チャネルを画定しており、前記少なくとも２つの長手方向主チャネルのうちの１つは、前記中央長手方向軸の第１サイドに配置されており、前記少なくとも２つの長手方向主チャネルのうちのもう１つは、前記中央長手方向軸の第２サイドに配置されている、請求項１乃至請求項８のいずれかに記載の吸収性物品。
【請求項１０】
前記吸収性層は、第１基材と、第２基材と、前記第１基材と前記第２基材との間に配置された吸収性ポリマー粒子とセルロース繊維を備える前記吸収性材料とを、備えており、
前記少なくとも１つのチャネルが、前記吸収性層に画定しており、前記第１基材は前記第２基材に固着されており、
前記吸収性層が湿潤すると、前記少なくとも１つのチャネルの前記一時的部分が解放されて、前記第１基材が前記一時的部分の近傍の前記第２基材に固着されなくなる、
請求項１乃至請求項９のいずれかに記載の吸収性物品。
【請求項１１】
前記吸収性物品は、再締結可能である、請求項１乃至請求項１０のいずれかに記載の吸収性物品。
【請求項１２】
前記吸収性物品は、恒久的サイドシームを備えるパンツである、請求項１乃至請求項１０のいずれかに記載の吸収性物品。
【外国語明細書】
2019150655000001.pdf